【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
ビットストリームを復号して量子化値を生成する復号部と、
トランスフォームスキップが適用されたトランスフォームブロックのブロックサイズが4×4ブロックサイズよりも大きい場合に、前記トランスフォームブロックのブロックサイズに対応するフラットスケーリングリストを用いて、前記復号部により生成された前記量子化値を逆量子化する逆量子化部と
を備える復号装置。
【請求項２】
前記逆量子化部は、前記トランスフォームスキップが適用されたトランスフォームブロックのブロックサイズが8×8ブロックサイズである場合に、8×8のフラットスケーリングリストを用いて、前記復号部により生成された前記量子化値を逆量子化する
請求項１に記載の復号装置。
【請求項３】
前記逆量子化部は、前記トランスフォームスキップが適用されたトランスフォームブロックのブロックサイズが16×16ブロックサイズである場合に、16×16のフラットスケーリングリストを用いて、前記復号部により生成された前記量子化値を逆量子化する
請求項１に記載の復号装置。
【請求項４】
前記逆量子化部は、前記トランスフォームスキップが適用されたトランスフォームブロックのブロックサイズが32×32ブロックサイズである場合に、32×32のフラットスケーリングリストを用いて、前記復号部により生成された前記量子化値を逆量子化する
請求項１に記載の復号装置。
【請求項５】
前記トランスフォームブロックのブロックサイズが4×4ブロックサイズよりも大きく、かつ、前記トランスフォームブロックにトランスフォームスキップが適用されたかを判定する判定部
をさらに備え、
前記逆量子化部は、前記判定部により前記トランスフォームブロックのブロックサイズが4×4ブロックサイズよりも大きく、かつ、前記トランスフォームブロックにトランスフォームスキップが適用されたと判定された場合に、前記トランスフォームブロックのブロックサイズに対応するフラットスケーリングリストを用いて、前記復号部により生成された前記量子化値を逆量子化する
請求項１に記載の復号装置。
【請求項６】
前記ビットストリームは、画像と前記画像の予測画像との残差を符号化した残差データを含み、
前記復号部は、前記残差データを復号して前記量子化値を生成する
請求項１に記載の復号装置。
【請求項７】
前記トランスフォームブロックは、コーディングブロックを再帰的に4分割したブロックである
請求項１に記載の復号装置。
【請求項８】
復号装置が、
ビットストリームを復号して量子化値を生成する復号ステップと、
トランスフォームスキップが適用されたトランスフォームブロックのブロックサイズが4×4ブロックサイズよりも大きい場合に、前記トランスフォームブロックのブロックサイズに対応するフラットスケーリングリストを用いて、前記復号ステップの処理により生成された前記量子化値を逆量子化する逆量子化ステップと
を含む復号方法。
【請求項９】
4×4ブロックサイズよりも大きいトランスフォームブロックに対してトランスフォームスキップを適用する場合に、前記トランスフォームブロックのブロックサイズに対応するフラットスケーリングリストを用いて、トランスフォームスキップが適用された前記トランスフォームブロックを量子化して量子化値を生成する量子化部と、
前記量子化部により生成された前記量子化値を符号化する符号化部と
を備える符号化装置。
【請求項１０】
前記量子化部は、前記トランスフォームスキップが適用されたトランスフォームブロックのブロックサイズが8×8ブロックサイズである場合に、8×8のフラットスケーリングリストを用いて、前記トランスフォームスキップが適用されたトランスフォームブロックを量子化して前記量子化値を生成する
請求項９に記載の符号化装置。
【請求項１１】
前記量子化部は、前記トランスフォームスキップが適用されたトランスフォームブロックのブロックサイズが16×16ブロックサイズである場合に、16×16のフラットスケーリングリストを用いて、前記トランスフォームスキップが適用されたトランスフォームブロックを量子化して前記量子化値を生成する
請求項９に記載の符号化装置。
【請求項１２】
前記量子化部は、前記トランスフォームスキップが適用されたトランスフォームブロックのブロックサイズが32×32ブロックサイズである場合に、32×32のフラットスケーリングリストを用いて、前記トランスフォームスキップが適用されたトランスフォームブロックを量子化して前記量子化値を生成する
請求項９に記載の符号化装置。
【請求項１３】
前記トランスフォームブロックのブロックサイズを4×4ブロックサイズよりも大きくし、かつ、前記トランスフォームブロックにトランスフォームスキップを適用するかを判定する判定部
をさらに備え、
前記量子化部は、前記判定部により前記トランスフォームブロックのブロックサイズを4×4ブロックサイズよりも大きくし、かつ、前記トランスフォームブロックにトランスフォームスキップを適用すると判定された場合に、前記トランスフォームブロックのブロックサイズに対応するフラットスケーリングリストを用いて、前記トランスフォームスキップが適用されたトランスフォームブロックを量子化して前記量子化値を生成する
請求項９に記載の符号化装置。
【請求項１４】
前記量子化部は、前記トランスフォームスキップが適用された前記トランスフォームブロックの画像と前記画像の予測画像との残差を量子化して前記量子化値を生成し、
前記符号化部は、前記量子化部により生成された前記量子化値を符号化する
請求項９に記載の符号化装置。
【請求項１５】
前記トランスフォームブロックは、コーディングブロックを再帰的に4分割したブロックである
請求項９に記載の符号化装置。
【請求項１６】
符号化装置は、
4×4ブロックサイズよりも大きいトランスフォームブロックに対してトランスフォームスキップを適用する場合に、前記トランスフォームブロックのブロックサイズに対応するフラットスケーリングリストを用いて、トランスフォームスキップが適用された前記トランスフォームブロックを量子化して量子化値を生成する量子化ステップと、
前記量子化ステップの処理により生成された前記量子化値を符号化する符号化ステップと
を含む符号化方法。
【手続補正２】
【補正対象書類名】明細書
【補正対象項目名】００１９
【補正方法】変更
【補正の内容】
【００１９】
本開示の第１の側面の復号装置は、ビットストリームを復号して量子化値を生成する復号部と、トランスフォームスキップが適用されたトランスフォームブロックのブロックサイズが4×4ブロックサイズよりも大きい場合に、前記トランスフォームブロックのブロックサイズに対応するフラットスケーリングリストを用いて、前記復号部により生成された前記量子化値を逆量子化する逆量子化部とを備える復号装置である。
【手続補正３】
【補正対象書類名】明細書
【補正対象項目名】００２１
【補正方法】変更
【補正の内容】
【００２１】
本開示の第１の側面においては、ビットストリームを復号して量子化値が生成され、トランスフォームスキップが適用されたトランスフォームブロックのブロックサイズが4×4ブロックサイズよりも大きい場合に、前記トランスフォームブロックのブロックサイズに対応するフラットスケーリングリストを用いて、前記量子化値が逆量子化される。
【手続補正４】
【補正対象書類名】明細書
【補正対象項目名】００２２
【補正方法】変更
【補正の内容】
【００２２】
本開示の第２の側面の符号化装置は、4×4ブロックサイズよりも大きいトランスフォームブロックに対してトランスフォームスキップを適用する場合に、前記トランスフォームブロックのブロックサイズに対応するフラットスケーリングリストを用いて、トランスフォームスキップが適用された前記トランスフォームブロックを量子化して量子化値を生成する量子化部と、前記量子化部により生成された前記量子化値を符号化する符号化部とを備える符号化装置である。
【手続補正５】
【補正対象書類名】明細書
【補正対象項目名】００２４
【補正方法】変更
【補正の内容】
【００２４】
本開示の第２の側面においては、4×4ブロックサイズよりも大きいトランスフォームブロックに対してトランスフォームスキップを適用する場合に、前記トランスフォームブロックのブロックサイズに対応するフラットスケーリングリストを用いて、トランスフォームスキップが適用された前記トランスフォームブロックが量子化されて量子化値が生成され、前記量子化値が符号化される。